(57)【要約】　　　（修正有）【課題】天井裏に設置される埋込型の空気調和機において、部品の清掃や交換等の保守・点検を安全で簡単に行うことができ、構造が簡単で経済的にも有利な空気調和機を提供する。【解決手段】天井裏に設置される埋込型空気調和機であって、該空気調和機１のケーシング２内にはファンモータユニット４とコイルユニット５とが水平方向に並列に設けられ、ファンモータユニットとコイルユニットの間には保守作業スペース６を設け、ケーシングの底面には着脱自在の下部点検蓋２１を設け、下部点検蓋を取り外すことによって保守作業スペースを露呈することができる空気調和機である。【選択図】　　図１
0003097918.tif 000002
【実用新案登録請求の範囲】
【請求項１】
天井裏に設置される埋込型空気調和機であって、該空気調和機のケーシング内にはファンモータユニットとコイルユニットとが水平方向に並列に設けられ、ファンモータユニットとコイルユニットの間には保守作業スペースを設け、ケーシングの底面には着脱自在の下部点検蓋を設け、該下部点検蓋を取り外すことによって保守作業スペースを露呈することができることを特徴とする空気調和機。
【請求項２】
前記ファンモータユニットには取付枠体を設け、該取付枠体は前記ケーシングに上下方向に平行に設けられた取付レールと補強兼転倒防止レールの間を移動可能であり、取付レールに着脱自在に取り付けられることを特徴とする請求項１に記載の空気調和機。
【考案の詳細な説明】
【０００１】
【考案の属する技術分野】
本考案は、天井裏に設置される埋込型空気調和機の技術分野に属し、さらに詳しくは、天井裏に固定された機体の内部の保守・点検を行うことが可能であり、主要構成要素を容易に取り外して保守・点検を行うことが可能である埋込型空気調和機の技術分野に属する。
【０００２】
【従来の技術】
従来、天井裏に設置される埋込型の空気調和機においては、作業員が天井裏に入りこんだり、天井に形成した点検口を介して室内側から機体内部にアクセスして部品清掃や部品交換等のメンテナンス作業を行なっていた。いずれの場合にもこのようなメンテナンス作業は、天井の裏側で固定されている部品に対して行なわれる作業であるために作業の効率性に劣る。
そこで、本出願人らは、例えば、後述する特許文献１に示すように、天井裏に埋め込んで使用される空気調和機において、機体底板が機体から容易に取り外すことが可能であって、フレーム枠が機体の下方に対応する天井面上の位置にまで延び、開口部を閉鎖する天井ボードを支持する構成とし、ファンモータユニット部などの設置状態で機体の上下方向に案内摺動機構を機内に設け、この案内摺動機構によってファンモータユニット部など機体の外に移動可能とし、機外で部品の清掃や交換等の保守・点検を容易に行うことを可能とする空気調和機を提供している。
【０００３】
【特許文献１】
特開平１０−１６０１８８号公報
【０００４】
【考案が解決しようとする課題】
ところで、上述した特許文献に開示した技術は、空気調和機において部品の清掃や交換等の保守・点検を簡単に行うことができるという利点を有するが、案内摺動機構を必要とし、機種毎に設計変更して部品を作成しなければならないため経済的には不利であるという問題点があり、特に、コイル上流側の清掃は手間がかかり頻繁には行いづらいという問題点があった。
本考案は、上記の問題点に鑑みてなされたもので、その課題は、天井裏に設置される埋込型の空気調和機において、部品の清掃や交換等の保守・点検を安全で簡単に行うことができ、構造が簡単で経済的にも有利な空気調和機を提供するものである。
【０００５】
【課題を解決するための手段】
上記課題を解決するため、請求項１の考案は、天井裏に設置される埋込型空気調和機であって、該空気調和機のケーシング内にはファンモータユニットとコイルユニットとが水平方向に並列に設けられ、ファンモータユニットとコイルユニットの間には保守作業スペースを設け、ケーシングの底面には着脱自在の下部点検蓋を設け、該下部点検蓋を取り外すことによって保守作業スペースを露呈することができることを特徴とする空気調和機である。
請求項２の考案は、前記ファンモータユニットには取付枠体を設け、該取付枠体は前記ケーシングに上下方向に平行に設けられた取付レールと補強兼転倒防止レールの間を移動可能であり、取付レールに着脱自在に取り付けられることを特徴とする請求項１に記載の空気調和機である。
【０００６】
【考案の実施の形態】
本考案の好適な実施例の空気調和機を、天井裏に埋め込んで使用した場合について、添付の図面を参照して詳細に説明する。
図１は、実施例の空気調和機１を天井裏に設置した状態で示す概略説明図であり、空気調和機１内のケーシング２内には、フィルタユニット３、ファンモータユニット４、コイルユニット５が水平方向に並列に配置されていて、空気の流れは還気Ａがフィルタユニット３に吸い込まれ、ファンモータユニット４によってコイルユニット５に送られ、空気調和されてダクトなどに給気Ｂとなって供給される。
そして、ファンモータユニット４とコイルユニット５の間には比較的広い断面の空間を有する保守作業スペース６が配置されており、ケーシング２は、その底面を構成する下部点検蓋２１を取り外すことによって内部を露呈することができ、この下部点検蓋２１はケーシング２の底部に対して蝶ナット２２によって固定されている。また、蝶ナット２２は、手で回すことができるものであれば、径の大きなツマミがあるナット、或いは、マグネット・ビスなどに換えてもよい。
【０００７】
図２に示すように、ファンモータユニット４は取付レール２３に取り付けられているが、詳しくは、ファンモータユニット４に付属する取付枠体４１がケーシング２の内周の大きさより若干小さい外周であって、この取付枠体４１がケーシング２内に設けられた一対（図２中前後）のＬ字型の取付レール２３に固着される。固着手段は取付レール２３の孔にボルト２４を挿入し、取付枠体４１の固定ナット４２に係合して固着する。なお、ボルト２４と固定ナット４２との位置や数は所望の位置や数で適宜設計変更すればよい。
この取付レール２３は内側に突出するように所望の幅（Ｌ字の一片）を有していて上下方向に設けられて、取付枠体４１の固定ナット４２に係合して固着するが、この取付レール２３とファンモータユニット４の取付枠体４１を重ねて取り付けることによって、ファンモータユニット４と保守作業スペース６の空間を個別に形成するようになっている。
また、この取付レール２３に平行して上下方向に一対のＬ字型の補強兼転倒防止レール２６が設けられ、この補強兼転倒防止レール２６はファンモータユニット４の左右動を許容し、取付枠体４１の左右動を阻止する程度の内側に突出する幅（Ｌ字の一片）をケーシング２の内側に有していて、ファンモータユニット４の取付枠体４１が必要以上に傾くことを阻止し、スムースにファンモータユニット４を取付レール２３に据え付け及び脱離作業が出来るようにしており、かつ、重量のあるファンモータユニット４部が存在するケーシング２の補強も兼ねている。
なお、本実施例では、平行する２本のＬ字型の取付レール２３と転倒防止レール２６としたが、２本のレールを一体としてコの字形状とし、取付レール２３と転倒防止レール２６とを１つの部材としてもよい。
図１において、空気調和機１は適宜の手段で天井の基部に固定されるが、空気調和機１に対応する天井ボード７は、天井裏に設けられるフレーム材などに取り付けられ、室内から見た場合に点検口が全く設けられていないかのように見える天井面Ｆを構成することができる。
【０００８】
本実施例は以上のような構成であるので、次に説明するような手順で保守・点検を行う。
まず、室内に設けた足場等に登って、天井面Ｆにアクセスし、天井面の天井ボード７に対応する部分を開口させるが、この開口作業は、通常、天井ボード７を僅かに上方に持ち上げるとともに、天井面Ｆに対して平行にいずれかの方向に天井ボードをスライドさせることによって行うことができる。
このように天井面Ｆの天井ボード７を開口させると機体の下部点検蓋２１が室内側に露呈し、さらに、この露呈した下部点検蓋２１を、ケーシング２の固定ボルト２５に係合した蝶ナット２２、および、ファンモータユニット４の取付枠体４１の固定ボルト４３に係合した蝶ナット２２を取り外す。この際、下部点検蓋２１の着脱に蝶ナット２２を用いたので取り外し作業がより簡単になる。
この下部点検蓋２１を取り外すことによって、保守作業スペース６を露呈させ、この露呈した保守作業スペース６に室内側から機体内部に人の腕や手を差し入れてファンモータユニット４およびコイルユニット５上流側の保守・点検の作業をすることができる。
このように、ファンモータユニット４およびコイルユニット５上流側の保守・点検作業は簡単になり、特に、清掃が簡単に手間がかからず頻繁に行えるので、コイルの能力低下を防止でき、寿命も長くなる。
なお、点検蓋２１は分割可能として、点検口２１が保守作業スペース６にだけ対応する大きさとしても良く、点検蓋２１は側面、天板に設けても良い。同様に、天井ボード７もそれに対応して分割可能にしても良い。
【０００９】
更に、ファンモータユニット４の取付枠体４１をケーシング２から脱離するには、図２に示すように、取付レール２３のボルト２４を取付枠体４１の固定ナット４２から外し、ファンモータユニット４の取付枠体４１に平行する取付レール２３と補強兼転倒防止レール２６の間に沿って下方（図２矢印Ｃ）に降ろせばよく、補強兼転倒防止レール２６がファンモータユニット４の取付枠体４１によって、重量のあるファンモータユニット４の転倒を防止するので、スムースに機体からの脱離作業が出来る。
ファンモータユニット４をケーシング２に取り付けるには、この逆の手順を行えばよく（図２矢印Ｄ）、この場合もスムースにファンモータユニット４を取付レール２３に据え付け作業が出来るようになり、かつ、補強兼転倒防止レール２６は重量のあるファンモータユニット４部でのケーシング２の補強としても機能している。
したがって、本実施例は、天井裏に設置される埋込型の空気調和機において、部品の清掃や交換等の保守・点検を簡単に行うことができ、構造が簡単で一般に用いられる部材の使用が可能であり、経済的にも有利である。
なお、本発明の特徴を損うものでなければ、上記の実施例に限定されるものでないことは勿論である。
【００１０】
【考案の効果】
以上説明したように、請求項１の考案によれば、天井裏に設置される埋込型の空気調和機において、ファンモータユニットおよびコイル上流側の部品の清掃や交換等の保守・点検を簡単に行うことができ、特に、コイル上流側の清掃を簡単に手間がかからず頻繁に行えるので、コイルの能力低下を防止でき、寿命も長くなり、構造が簡単で一般に用いられる部材の使用が可能であり、経済的にも有利であるという効果が得られる。
また、請求項２の考案によれば、補強兼転倒防止レールを設けたので、請求項１での効果に加えて、ファンモータユニットの据え付け及び脱離作業がスムースにでき、かつ、重量のあるファンモータユニットが存在するケーシング２での補強にもなるという効果が得られる。
【図面の簡単な説明】
【図１】本考案の実施例の空気調和機を天井裏に設置した状態で示す概略説明図である。
【図２】図１の空気調和機において、保守作業スペースとファンモータユニットの着脱を説明する分解説明図である。
【符号の説明】
Ａ…還気、Ｂ…給気、Ｆ…天井面
１…空気調和機、
２…ケーシング、２１…下部点検蓋、２２…蝶ナット、２３…取付レール、
２４…ボルト、２５…固定ボルト、２６…補強兼転倒防止レール、
３…フィルタユニット、
４…ファンモータユニット、４１…取付枠体、４２…固定ナット、
４３…固定ボルト、
５…コイルユニット、
６…保守作業スペース、
７…天井ボード
【図１】
0003097918.tif 000003
【図２】
0003097918.tif 000004